(57)【要約】【課題】圃場内に存在する害虫を駆除するため、その天敵昆虫の一つである徘徊性昆虫を選択的に圃場内へ誘引する。【解決手段】徘徊性昆虫誘引システム１は、圃場の周囲に設けられる第１誘引光源部２と、圃場内に設けられる第２誘引光源部３と、遮光部２１とを備える。遮光部２１は、第１誘引光源部２の近傍に、第１誘引光源部２からの光が照射されず第２誘引光源部３からの光が照射されるエリア（第２エリア７）を形成する。第１誘引光源部２から照射される光によって誘引された昆虫のうち、第２エリア７へ侵入した徘徊性昆虫８は、選択的に第２誘引光源部３から照射される光によって圃場内へ誘引される。【選択図】図２
2012055246.tif 000002
【特許請求の範囲】
【請求項１】
圃場の周囲に設けられ昆虫誘引活性を有する光を照射する第１誘引光源部と、
前記圃場内に設けられ前記第１誘引光源部から照射される光よりも低い昆虫誘引活性を有する光を照射する第２誘引光源部と、
前記第１誘引光源部の近傍に設けられ前記第２誘引光源部からの光が照射されるエリアへの前記第１誘引光源部からの光照射を遮る遮光部と、を備えることを特徴とする徘徊性昆虫誘引システム。
【請求項２】
前記第２誘引光源部からの光が照射されるエリアより、前記第１誘引光源部からの光が照射されるエリアへ、徘徊性昆虫が逆戻りすることを防ぐ逆戻り防止機構を備えたことを特徴とする請求項１に記載の徘徊性昆虫誘引システム。
【発明の詳細な説明】
【技術分野】
【０００１】
本発明は、作物を育成する圃場において害虫を駆除するための徘徊性昆虫誘引システムに関する。
【背景技術】
【０００２】
従来から、作物を育成する圃場において、害虫による作物への被害を低減するために農薬が用いられてきた。しかし、近年の作物に対する安全性志向の高まり等から、農薬の使用を減少させることが望まれている。
【０００３】
そこで、農薬に依存しない害虫駆除手段の一つとして、害虫に対する天敵昆虫を圃場内へ誘引光源を用いて誘引し、誘引した天敵昆虫によって圃場内の害虫を捕食させるシステム及び方法が知られている（例えば、特許文献１）。
【先行技術文献】
【特許文献】
【０００４】
【特許文献１】特開２００６−２５６７３号公報
【発明の概要】
【発明が解決しようとする課題】
【０００５】
しかしながら、上記特許文献１に示されるシステムは、ヤガ等の飛翔性害虫も圃場内へ誘引することがあり、必ずしも天敵昆虫だけを選択的に誘引するものではない。
【０００６】
上記のような従来技術の問題点に鑑み、本発明は、天敵昆虫の一つである徘徊性昆虫を選択的に圃場内へ誘引する徘徊性昆虫誘引システムを提供することを目的とする。
【課題を解決するための手段】
【０００７】
本発明に係る徘徊性昆虫誘引システムは、圃場の周囲に設けられ昆虫誘引活性を有する光を照射する第１誘引光源部と、圃場内に設けられ第１誘引光源部から照射される光よりも低い昆虫誘引活性を有する光を照射する第２誘引光源部と、第１誘引光源部の近傍に設けられ第２誘引光源部からの光が照射されるエリアへの第１誘引光源部からの光照射を遮る遮光部とを備えることを特徴とする。
【０００８】
この徘徊性昆虫誘引システムは、第２誘引光源部からの光が照射されるエリアより、第１誘引光源部からの光が照射されるエリアへ、徘徊性昆虫が逆戻りすることを防ぐ逆戻り防止機構を備えることが好ましい。
【発明の効果】
【０００９】
本発明の徘徊性昆虫誘引システムによれば、遮光部は、第１誘引光源部の近傍に、第１誘引光源部からの光が照射されず第２誘引光源部からの光が照射されるエリアを形成する。第１誘引光源部から照射される光によって誘引された昆虫のうち、このエリアへ侵入した徘徊性昆虫は、選択的に第２誘引光源部から照射される光によって圃場内へ誘引される。
【図面の簡単な説明】
【００１０】
【図１】本発明の一実施形態に係る徘徊性昆虫誘引システムの構成を示す斜視図。
【図２】上記システムの側面図。
【図３】上記システムの動作過程を表す図。
【発明を実施するための形態】
【００１１】
本発明の実施形態に係る徘徊性昆虫誘引システムについて、図面を参照して説明する。図１に示されるように、徘徊性昆虫誘引システム１は、広く昆虫を誘引する第１誘引光源部２と、第１誘引光源部２に誘引された昆虫の中から選択的に徘徊性昆虫を誘引するために利用される第２誘引光源部３とを備える。
【００１２】
第１誘引光源部２は、作物４が育成される作物栽培領域４０の外側で圃場５の周囲に配置された誘引装置２０内に設けられ、圃場５外に向けて光を照射する。この光は、昆虫誘引活性を有し、例えば、３００〜４００ｎｍの波長範囲内にピーク波長を持つ光である。
【００１３】
第２誘引光源部３は、圃場５内の作物栽培領域４０内に配置された支持体３０上に設けられ、作物栽培領域４０内及びその周辺部に向けて光を照射する。この光は、第１誘引光源部２から照射される光よりも低い昆虫誘引活性を有し、例えば、５００〜７００ｎｍの波長範囲内にピーク波長を持つ光である。
【００１４】
第１誘引光源部２及び第２誘引光源部３は、効率的に昆虫を圃場５内へ誘引するため、圃場５に自然光が照射されていない日の入から日の出までの時間帯に点灯されることが好ましい。また、これら両光源の点灯及び消灯は、同時に行われることが好ましく、ソーラータイムスイッチを利用することにより予め記憶された日の出・日の入り時刻に従って制御されてもよい。
【００１５】
第１誘引光源部２及び第２誘引光源部３から照射される光の光量は、特に限定されるものではないが、第１誘引光源部２から照射される光の光量は、第２誘引光源部３から照射される光の光量よりも大きい又は同等レベルであることが好ましい。
【００１６】
第１誘引光源部２及び第２誘引光源部３は、例えば、特定波長の光を照射するように構成された有機ＥＬ、ＬＥＤ若しくはカラー蛍光ランプ、又は特定波長の光を透過させるフィルタで覆われた蛍光灯若しくはＨＩＤランプ等の汎用光源から成る。
【００１７】
図２に示されるように、第１誘引光源部２を持つ誘引装置２０は、遮光部２１と、徘徊性昆虫歩行部２２と、筺体部２３とを備える。
【００１８】
遮光部２１は、第１誘引光源部２の近傍に設けられ、第２誘引光源部３からの光が照射されるエリアへの第１誘引光源部２からの光照射を遮る。これにより、第１誘引光源部２からの光が主に照射されるエリア（第１エリア６）と、第２誘引光源部３からの光が照射されるエリア（第２エリア７）が形成される。遮光部２１は、例えば、金属（アルミ、鉄等）や樹脂等の材質から形成されるが、少なくとも第１誘引光源部２から照射される光を遮光できる材質であればよく、例えば、３００〜４００ｎｍの波長を有する光を透過しないフィルムを貼着した透明板等から構成される。
【００１９】
徘徊性昆虫歩行部２２は、遮光部２１の下の地面上に配置される扁平な構造体であり、作物４が育成される作物栽培領域４０の近傍へ連なる。
【００２０】
筺体部２３は、第１誘引光源部２と、遮光部２１と、徘徊性昆虫歩行部２２とを一体化するものであり、金属（アルミ、鉄等）や樹脂等の堅い材質から成ることが好ましい。
【００２１】
徘徊性昆虫誘引システム１は、地面と第１エリア６と第２エリア７とに連なって地面上に設けられる徘徊性昆虫８用の移動経路を持ち、この移動経路上に第２エリア７より第１エリア６へ徘徊性昆虫８が逆戻りすることを防ぐ逆戻り防止機構を備えることが好ましい。この逆戻り防止機構は、例えば、誘引装置２０の一部として、第１エリア６と第２エリア７との境界付近の地面上に配置される段差部２４より構成される。段差部２４は、例えば、片側スロープ構造を持ち、第１エリア６から第２エリア７へ向かう徘徊性昆虫８は乗り越えることができるが、第２エリア７から第１エリア６へ向かう徘徊性昆虫８は乗り越えることができない形状となっている。
【００２２】
なお、徘徊性昆虫８は、圃場５の周囲に生息している土着性昆虫であり、具体的には、捕食性のオサムシ及びゴミムシ類（セアカヒラタゴミムシ、キボシアオゴミムシ、オオアトボシアオゴミムシ等）等の昆虫を含む。
【００２３】
図３上図に示されるように、第１誘引光源部２から照射される光は、圃場５外から第１エリア６へ徘徊性昆虫８を誘引する。第１エリア６へ誘引された徘徊性昆虫８は、より第１誘引光源部２へ近付こうと移動するうちに、第２エリア７へ到達する。第２エリア７へ到達した徘徊性昆虫８は、遮光部２１の作用により第１誘引光源部２から照射される光を視認することができないため、第２誘引光源部３から照射される光を誘引光として視認する。その結果、図３下図に示されるように、第２エリア７へ到達した徘徊性昆虫８は、第２誘引光源部３から照射される光によって作物栽培領域４０へ誘引され、そこで作物４に付着した害虫の駆除にあたることとなる。
【００２４】
また、段差部２４が配置されることにより、第１誘引光源部２から照射される光に誘引された徘徊性昆虫８は、段差部２４のスロープを登り、第１誘引光源部２へより近付くことができる。しかし、段差部２４は、第１誘引光源部２と連結されていないため、徘徊性昆虫８は、段差部２４のスロープを登り切った時点で第２エリア７に配置される徘徊性昆虫歩行部２２へ落ちる。ここで、上述のように、段差部２４は、徘徊性昆虫８が第２エリア７側から乗り越えることができない形状となっているため、徘徊性昆虫歩行部２２へ落ちた徘徊性昆虫８は、第２エリア７内に閉じ込められることとなる。これにより、第２エリア７内に徘徊性昆虫８を蓄積させることが可能となる。
【００２５】
第１誘引光源部２及び第２誘引光源部３から照射される光は、徘徊性昆虫８に加え、作物４に被害を与え得るヤガ等の飛翔性害虫８０も誘引する。ここで、上述のように、第１誘引光源部２から照射される光は、第２誘引光源部３から照射される光と比べ、より高い昆虫誘引活性を有している。そのため、飛翔性害虫８０は、第１誘引光源部２から照射される光によってより強く誘引され、その結果、第１エリア６により長く留まることとなる。また、仮に飛翔性害虫８０が第２エリア７へ入り込んだとしても、飛翔性害虫８０は、昆虫誘引活性の低い光が照射されている第２エリア７には長く留まらず、飛翔しているうちに第１エリア６の存在に気付き、第１エリア６へ移動する。
【００２６】
第２エリア７へ入り込んだ飛翔性害虫８０の第１エリア６への移動を促進するため、遮光部２１は、第１誘引光源部２の上方へ照射される光を透過させるよう改変されてもよい。これにより、第２エリア７へ入り込んだ飛翔性害虫８０は、飛翔中に第１誘引光源部２の上方へ照射される光を視認することができるようになるため、第１エリア６へ移動する確率が高くなる。ここで、この改変された遮光部２１は、第２エリア７内の地面への第１誘引光源部２からの光照射を遮り、そして第１誘引光源部２の上方へ照射される光は、第２エリア７内の地面には到達しない。そのため、この改変された遮光部２１は、第２エリア７内の地面上に存在する徘徊性昆虫８の行動に何ら影響を与えない。
【００２７】
上記実施形態によれば、第１誘引光源部２から照射される光によって圃場５外より広く昆虫を誘引した後、第２誘引光源部３から照射される光によってこれらの昆虫の中から選択的に徘徊性昆虫８を圃場５内（作物栽培領域４０内）へ誘引することが可能となる。圃場５内へ誘引された徘徊性昆虫８は、段差部２４等の逆戻り防止機構により、圃場５内に閉じ込められる。これらにより、圃場５内に存在する徘徊性昆虫８の数を増やすことができ、結果として、作物４に付着した害虫を効率良く徘徊性昆虫８に捕食させることが可能となる。
【００２８】
なお、本発明は、上記実施形態に限定されず、種々の変形が可能である。例えば、第１誘引光源部２及び第２誘引光源部３の配置場所及び配置台数は、上記実施形態に示される例に限定されない。第１誘引光源部２は、飛翔性害虫８０を捕獲するため、徘徊性昆虫８が歩行しない位置で、かつ第１誘引光源部２の近傍に設置される粘着シート等の捕獲トラップを備えていてもよい。また、徘徊性昆虫歩行部２２は、より効率良く徘徊性昆虫８を作物の栽培領域４０へ誘引するため、第２誘引光源部３から照射される光を反射する反射板等を備えていてもよい。
【符号の説明】
【００２９】
１  徘徊性昆虫誘引システム
２  第１誘引光源部
２１  遮光部
２４  段差部（逆戻り防止機構）
３  第２誘引光源部
５  圃場
６  第１エリア（第１誘引光源部からの光が照射されるエリア）
７  第２エリア（第２誘引光源部からの光が照射されるエリア）
８  徘徊性昆虫
【図１】
2012055246.tif 000003
【図２】
2012055246.tif 000004
【図３】
2012055246.tif 000005